【事件の表示】
　特許第４４３１７６３号に関する訂正審判事件について、次のとおり審決する。
【結　論】
　特許第４４３１７６３号に係る明細書及び図面を本件審判請求書に添付された訂正明細書及び図面のとおり訂正することを認める。
【理　由】
１．手続の経緯
　本件特許第４４３１７６３号の請求項１及び２に係る発明は、平成１２年３月６日に出願した特願平２０００−６０１００号とした特許出願に係り、平成２２年１月８日にその特許権の設定の登録がなされたものである。
　
２．審判請求の要旨　
　本件審判請求の要旨は、本件特許第４４３１７６３号の明細書(以下、「本件特許明細書」という。)を本件審判請求書に添付された訂正明細書のとおり訂正することを求めるものである。
　その訂正内容は、次のとおりである。
　
＜訂正事項１＞
　本件特許明細書の特許請求の範囲の
「【特許請求の範囲】
【請求項１】
　遊技盤上に球を発射する遊技機であって、遊技盤の遊技領域に始動口を配設し、該始動口に球が入賞することで遊技条件を成立させ、表示遊技の最終的な実行結果を定めるための乱数抽選を乱数抽選手段で行い、乱数抽選で抽出した数値が特賞に対応するものか否かを大当たり判定用参照テーブルを参照して求め、表示遊技を実行し、当該表示遊技の実行結果が複数の識別情報が特定の組み合わせで揃う特賞表示態様であった場合に、大入賞口が所定回数にわたって開閉され、特賞の特典が遊技者に付与される遊技機において、
　可変表示手段と、表示制御手段と、遊技状態予告手段と、予告遂行手段とを備え、
　前記可変表示手段は、
　前記表示遊技の表示結果が表示される可変表示領域と、予告通知を行う演出表示領域と、を成すものであり、
　前記表示制御手段は、
　前記遊技条件の成立に基づいて前記表示遊技を前記可変表示領域上に展開表示するものであり、前記乱数抽選手段で抽出した数値が特賞に対応するものである場合、表示遊技の実行結果として前記特賞表示態様を表示し、
　前記乱数抽選手段で抽出した数値が外れパターンの場合、表示遊技の実行結果が、あと１つ所定の識別情報が揃うと前記特賞表示態様になるリーチ状態を経由することなく外れの状態を表示し、
　前記乱数抽選手段で抽出した数値が第１リーチ外れパターンの場合、表示遊技の実行途中で前記リーチ状態が形成され、最終的に外れの状態を表示し、
　前記乱数抽選手段で抽出した数値が第２リーチ外れパターンの場合、表示遊技の実行途中で前記リーチ状態が形成され、最終的に前記第１リーチ外れパターンの場合と同一の外れの状態を表示し、
　前記遊技状態予告手段は、
　前記表示制御手段によって前記可変表示領域に展開表示された前記表示遊技の実行結果が、前記リーチ状態を表示遊技の実行中に経由して最終的に外れに終わるリーチ外れになったとき、遊技が今後どのように進行するかを、予告通知としての演出表示を行う前記演出表示領域に所定の演出表示を通じて遊技者に事前に予告通知するものであり、
　前記乱数抽選手段で抽出した数値が前記第１リーチ外れパターンの場合は、前記可変表示領域に外れの状態を表示した後、前記演出表示領域に外れに終わる旨の予告通知を演出表示し、
　前記乱数抽選手段で抽出した数値が前記第２リーチ外れパターンの場合は、前記可変表示領域に前記第１リーチ外れパターンの場合と同一の外れの状態を表示した後、前記演出表示領域に大入賞口が数回開く旨の予告通知を演出表示し、
　前記予告遂行手段は、
　前記演出表示を通じて事前に予告した通りに以後の遊技を進行させ、
　前記乱数抽選手段で抽出した数値が前記第２リーチ外れパターンの場合、前記大入賞口が数回開く旨の予告通知の後、大入賞口を数回にわたって開閉することを特徴とする遊技機。
【請求項２】
　第２表示手段と、第２表示制御手段と、第２価値付与手段とを備え、
　前記第２表示制御手段は、
　実行を開始してから所定の変動表示期間の経過後に実行結果が停止表示される第２表示遊技を第２遊技条件の成立に基づいて前記第２表示手段上で展開するものであって、前記変動表示期間の長さが通常値に設定された通常モードと前記変動表示期間の長さが前記通常モードより短く設定された時短モードのうちのいずれかの動作モードで前記第２表示遊技を実行するものであり、
　前記第２価値付与手段は、
　前記第２表示遊技の実行結果として予め定めた当選表示態様が出現したとき、遊技者に有利な第２特賞状態を形成するものであり、
　前記表示制御手段は、
　前記乱数抽選手段で抽出した数値が第４リーチ外れパターンの場合、表示遊技の実行途中で前記リーチ状態が形成され、最終的に前記第１リーチ外れパターンの場合と同一の外れの状態を表示し、
　前記遊技状態予告手段は、
　前記乱数抽選手段で抽出した数値が前記第４リーチ外れパターンの場合は、前記第１リーチ外れパターンの場合と同一の外れの状態を表示した後、前記第２表示遊技の変動表示期間の長さが通常値に設定された通常モードより短く設定された時短モードに所定回数にわたって入る旨の予告通知を演出表示し、
　前記予告遂行手段は、
　前記乱数抽選手段で抽出した数値が前記第４リーチ外れパターンの場合、前記予告通知した回数分の表示遊技についてその実行モードを時短モードに変更することを特徴とする請求項１に記載の遊技機。」を
「【特許請求の範囲】
【請求項１】
　遊技盤上に球を発射する遊技機であって、遊技盤の遊技領域に始動口を配設し、該始動口に球が入賞することで遊技条件を成立させ、表示遊技の最終的な実行結果を定めるための乱数抽選を乱数抽選手段で行い、乱数抽選で抽出した数値が特賞に対応するものか否かを大当たり判定用参照テーブルを参照して求め、表示遊技を実行し、当該表示遊技の実行結果が複数の識別情報が特定の組み合わせで揃う特賞表示態様であった場合に、大入賞口が所定回数にわたって開閉され、特賞の特典が遊技者に付与される遊技機において、
　可変表示手段と、表示制御手段と、第２表示手段と、第２表示制御手段と、第２価値付与手段と、遊技状態予告手段と、予告遂行手段とを備え、
　前記可変表示手段は、
　前記表示遊技の表示結果が表示される可変表示領域と、予告通知を行う演出表示領域と、を成すものであり、
　前記表示制御手段は、
　前記遊技条件の成立に基づいて前記表示遊技を前記可変表示領域上に展開表示するものであり、前記乱数抽選手段で抽出した数値が特賞に対応するものである場合、表示遊技の実行結果として前記特賞表示態様を表示し、
　前記乱数抽選手段で抽出した数値が外れパターンの場合、表示遊技の実行結果が、あと１つ所定の識別情報が揃うと前記特賞表示態様になるリーチ状態を経由することなく外れの状態を表示し、
　前記乱数抽選手段で抽出した数値が第１リーチ外れパターンの場合、表示遊技の実行途中で前記リーチ状態が形成され、最終的に外れの状態を表示し、
　前記乱数抽選手段で抽出した数値が第２リーチ外れパターンの場合、表示遊技の実行途中で前記リーチ状態が形成され、最終的に前記第１リーチ外れパターンの場合と同一の外れの状態を表示し、
　前記乱数抽選手段で抽出した数値が第４リーチ外れパターンの場合、表示遊技の実行途中で前記リーチ状態が形成され、最終的に前記第１リーチ外れパターンの場合と同一の外れの状態を表示し、
　前記第２表示制御手段は、
　実行を開始してから所定の変動表示期間の経過後に実行結果が停止表示される第２表示遊技を第２遊技条件の成立に基づいて前記第２表示手段上で展開するものであって、前記変動表示期間の長さが通常値に設定された通常モードと前記変動表示期間の長さが前記通常モードより短く設定された時短モードのうちのいずれかの動作モードで前記第２表示遊技を実行するものであり、
　前記第２価値付与手段は、
　前記第２表示遊技の実行結果として予め定めた当選表示態様が出現したとき、遊技者に有利な第２特賞状態を形成するものであり、
　前記遊技状態予告手段は、
　前記表示制御手段によって前記可変表示領域に展開表示された前記表示遊技の実行結果が、前記リーチ状態を表示遊技の実行中に経由して最終的に外れに終わるリーチ外れになったとき、遊技が今後どのように進行するかを、予告通知としての演出表示を行う前記演出表示領域に所定の演出表示を通じて遊技者に事前に予告通知するものであり、
　前記乱数抽選手段で抽出した数値が前記第１リーチ外れパターンの場合は、前記可変表示領域に外れの状態を表示した後、前記演出表示領域に外れに終わる旨の予告通知を演出表示し、
　前記乱数抽選手段で抽出した数値が前記第２リーチ外れパターンの場合は、前記可変表示領域に前記第１リーチ外れパターンの場合と同一の外れの状態を表示した後、前記演出表示領域に大入賞口が数回開く旨の予告通知を演出表示し、
　前記乱数抽選手段で抽出した数値が前記第４リーチ外れパターンの場合は、前記第１リーチ外れパターンの場合と同一の外れの状態を表示した後、前記第２表示遊技の変動表示期間の長さが通常値に設定された通常モードより短く設定された時短モードに所定回数にわたって入る旨の予告通知を演出表示し、
　前記予告遂行手段は、
　前記演出表示を通じて事前に予告した通りに以後の遊技を進行させ、　
　前記乱数抽選手段で抽出した数値が前記第２リーチ外れパターンの場合、前記大入賞口が数回開く旨の予告通知の後、大入賞口を数回にわたって開閉し、
　前記乱数抽選手段で抽出した数値が前記第４リーチ外れパターンの場合、前記予告通知した回数分の第２表示遊技についてその実行モードを時短モードに変更することを特徴とする遊技機。」と訂正する。
　
＜訂正事項２＞
　本件特許明細書の段落【０００７】の
「【課題を解決するための手段】
　かかる目的を達成するための本発明の要旨とするところは、次の項の発明に存する。
［１］遊技盤上に球を発射する遊技機であって、遊技盤の遊技領域に始動口（５０）を配設し、該始動口（５０）に球が入賞することで遊技条件を成立させ、表示遊技の最終的な実行結果を定めるための乱数抽選を乱数抽選手段（１２１）で行い、乱数抽選で抽出した数値が特賞に対応するものか否かを大当たり判定用参照テーブルを参照して求め、表示遊技を実行し、当該表示遊技の実行結果が複数の識別情報が特定の組み合わせで揃う特賞表示態様であった場合に、大入賞口（９０）が所定回数にわたって開閉され、特賞の特典が遊技者に付与される遊技機において、
　可変表示手段（３０）と、表示制御手段（１１０、１８１）と、遊技状態予告手段（１８２）と、予告遂行手段（１３０）とを備え、
　前記可変表示手段（３０）は、
　前記表示遊技の表示結果が表示される可変表示領域（３１〜３３）と、予告通知を行う演出表示領域（３４）と、を成すものであり、
　前記表示制御手段（１１０、１８１）は、
　前記遊技条件の成立に基づいて前記表示遊技を前記可変表示領域（３１〜３３）上に展開表示するものであり、前記乱数抽選手段（１２１）で抽出した数値が特賞に対応するものである場合、表示遊技の実行結果として前記特賞表示態様を表示し、
　前記乱数抽選手段（１２１）で抽出した数値が外れパターンの場合、表示遊技の実行結果が、あと１つ所定の識別情報が揃うと前記特賞表示態様になるリーチ状態を経由することなく外れの状態を表示し、
　前記乱数抽選手段（１２１）で抽出した数値が第１リーチ外れパターンの場合、表示遊技の実行途中で前記リーチ状態が形成され、最終的に外れの状態を表示し、
　前記乱数抽選手段（１２１）で抽出した数値が第２リーチ外れパターンの場合、表示遊技の実行途中で前記リーチ状態が形成され、最終的に前記第１リーチ外れパターンの場合と同一の外れの状態を表示し、
　前記遊技状態予告手段（１８２）は、
　前記表示制御手段（１１０、１８１）によって前記可変表示領域（３１〜３３）に展開表示された前記表示遊技の実行結果が、前記リーチ状態を表示遊技の実行中に経由して最終的に外れに終わるリーチ外れになったとき、遊技が今後どのように進行するかを、予告通知としての演出表示を行う前記演出表示領域（３４）に所定の演出表示を通じて遊技者に事前に予告通知するものであり、
　前記乱数抽選手段（１２１）で抽出した数値が前記第１リーチ外れパターンの場合は、前記可変表示領域（３１〜３３）に外れの状態を表示した後、前記演出表示領域（３４）に外れに終わる旨の予告通知を演出表示し、
　前記乱数抽選手段（１２１）で抽出した数値が前記第２リーチ外れパターンの場合は、前記可変表示領域（３１〜３３）に前記第１リーチ外れパターンの場合と同一の外れの状態を表示した後、前記演出表示領域（３４）に大入賞口（９０）が数回開く旨の予告通知を演出表示し、
　前記予告遂行手段（１３０）は、
　前記演出表示を通じて事前に予告した通りに以後の遊技を進行させ、
　前記乱数抽選手段（１２１）で抽出した数値が前記第２リーチ外れパターンの場合、前記大入賞口（９０）が数回開く旨の予告通知の後、大入賞口（９０）を数回にわたって開閉することを特徴とする遊技機。」を
「【課題を解決するための手段】
　かかる目的を達成するための本発明の要旨とするところは、次の項の発明に存する。
［１］遊技盤上に球を発射する遊技機であって、遊技盤の遊技領域に始動口（５０）を配設し、該始動口（５０）に球が入賞することで遊技条件を成立させ、表示遊技の最終的な実行結果を定めるための乱数抽選を乱数抽選手段（１２１）で行い、乱数抽選で抽出した数値が特賞に対応するものか否かを大当たり判定用参照テーブルを参照して求め、表示遊技を実行し、当該表示遊技の実行結果が複数の識別情報が特定の組み合わせで揃う特賞表示態様であった場合に、大入賞口（９０）が所定回数にわたって開閉され、特賞の特典が遊技者に付与される遊技機において、
　可変表示手段（３０）と、表示制御手段（１１０、１８１）と、第２表示手段（４０）と、第２表示制御手段（１２７）と、第２価値付与手段（１２９）と、遊技状態予告手段（１８２）と、予告遂行手段（１３０）とを備え、
　前記可変表示手段（３０）は、
　前記表示遊技の表示結果が表示される可変表示領域（３１〜３３）と、予告通知を行う演出表示領域（３４）と、を成すものであり、
　前記表示制御手段（１１０、１８１）は、
　前記遊技条件の成立に基づいて前記表示遊技を前記可変表示領域（３１〜３３）上に展開表示するものであり、前記乱数抽選手段（１２１）で抽出した数値が特賞に対応するものである場合、表示遊技の実行結果として前記特賞表示態様を表示し、
　前記乱数抽選手段（１２１）で抽出した数値が外れパターンの場合、表示遊技の実行結果が、あと１つ所定の識別情報が揃うと前記特賞表示態様になるリーチ状態を経由することなく外れの状態を表示し、
　前記乱数抽選手段（１２１）で抽出した数値が第１リーチ外れパターンの場合、表示遊技の実行途中で前記リーチ状態が形成され、最終的に外れの状態を表示し、
　前記乱数抽選手段（１２１）で抽出した数値が第２リーチ外れパターンの場合、表示遊技の実行途中で前記リーチ状態が形成され、最終的に前記第１リーチ外れパターンの場合と同一の外れの状態を表示し、
　前記乱数抽選手段（１２１）で抽出した数値が第４リーチ外れパターンの場合、表示遊技の実行途中で前記リーチ状態が形成され、最終的に前記第１リーチ外れパターンの場合と同一の外れの状態を表示し、
　前記第２表示制御手段（１２７）は、
　実行を開始してから所定の変動表示期間の経過後に実行結果が停止表示される第２表示遊技を第２遊技条件の成立に基づいて前記第２表示手段（４０）上で展開するものであって、前記変動表示期間の長さが通常値に設定された通常モードと前記変動表示期間の長さが前記通常モードより短く設定された時短モードのうちのいずれかの動作モードで前記第２表示遊技を実行するものであり、
　前記第２価値付与手段（１２９）は、
　前記第２表示遊技の実行結果として予め定めた当選表示態様が出現したとき、遊技者に有利な第２特賞状態を形成するものであり、
　前記遊技状態予告手段（１８２）は、
　前記表示制御手段（１１０、１８１）によって前記可変表示領域（３１〜３３）に展開表示された前記表示遊技の実行結果が、前記リーチ状態を表示遊技の実行中に経由して最終的に外れに終わるリーチ外れになったとき、遊技が今後どのように進行するかを、予告通知としての演出表示を行う前記演出表示領域（３４）に所定の演出表示を通じて遊技者に事前に予告通知するものであり、
　前記乱数抽選手段（１２１）で抽出した数値が前記第１リーチ外れパターンの場合は、前記可変表示領域（３１〜３３）に外れの状態を表示した後、前記演出表示領域（３４）に外れに終わる旨の予告通知を演出表示し、
　前記乱数抽選手段（１２１）で抽出した数値が前記第２リーチ外れパターンの場合は、前記可変表示領域（３１〜３３）に前記第１リーチ外れパターンの場合と同一の外れの状態を表示した後、前記演出表示領域（３４）に大入賞口（９０）が数回開く旨の予告通知を演出表示し、
　前記乱数抽選手段（１２１）で抽出した数値が前記第４リーチ外れパターンの場合は、前記第１リーチ外れパターンの場合と同一の外れの状態を表示した後、前記第２表示遊技の変動表示期間の長さが通常値に設定された通常モードより短く設定された時短モードに所定回数にわたって入る旨の予告通知を演出表示し、
　前記予告遂行手段（１３０）は、
　前記演出表示を通じて事前に予告した通りに以後の遊技を進行させ、
　前記乱数抽選手段（１２１）で抽出した数値が前記第２リーチ外れパターンの場合、前記大入賞口（９０）が数回開く旨の予告通知の後、大入賞口（９０）を数回にわたって開閉し、
　前記乱数抽選手段（１２１）で抽出した数値が前記第４リーチ外れパターンの場合、前記予告通知した回数分の第２表示遊技についてその実行モードを時短モードに変更することを特徴とする遊技機。」と訂正する。
　
＜訂正事項３＞
　明細書の段落番号０００８の記載を削除する。
　
＜訂正事項４＞
　本件特許明細書の段落【００２２】の
「また、変動表示期間の長さが通常値に設定された通常モードと変動表示期間の長さが通常モードより短く設定された時短モードのうちのいずれかで第２表示遊技を実行する機能を備えたものでは、所定期間にわたって時短モードに入る旨を予告通知してもよい。」を、
「また、変動表示期間の長さが通常値に設定された通常モードと変動表示期間の長さが通常モードより短く設定された時短モードのうちのいずれかで第２表示遊技を実行する機能も備えており、所定期間にわたって時短モードに入る旨も予告通知する。」と訂正する。
＜訂正事項５＞
　本件特許明細書の段落【０１０９】の
「【発明の効果】
　本発明にかかる遊技機によれば、リーチを経由して外れになった場合に、第１リーチ外れパターンの場合は、可変表示領域に外れの状態が表示された後、外れに終わる旨の予告通知の演出表示が演出表示領域で行われ、第２リーチ外れパターンの場合は、可変表示領域に前記第１リーチ外れパターンの場合と同一の外れの状態が表示された後、大入賞口が数回開く旨の予告通知の演出表示が演出表示領域で行われ、今後の遊技の進行についての事前予告が行われ、さらにその事前予告通りに必ず遊技が進行するので、リーチ外れに終わった場合でも、遊技者の興奮と期待感を喚起し続けることができるとともに、遊技内容が変化に富み、面白みを増すことができる。」を
「【発明の効果】
　本発明にかかる遊技機によれば、リーチを経由して外れになった場合に、第１リーチ外れパターンの場合は、可変表示領域に外れの状態が表示された後、外れに終わる旨の予告通知の演出表示が演出表示領域で行われ、第２リーチ外れパターンの場合は、可変表示領域に前記第１リーチ外れパターンの場合と同一の外れの状態が表示された後、大入賞口が数回開く旨の予告通知の演出表示が演出表示領域で行われ、第４リーチ外れパターンの場合は、可変表示領域に前記第１リーチ外れパターンの場合と同一の外れの状態が表示された後、第２表示遊技が時短モードに所定回数にわたって入る旨の予告通知の演出表示が演出表示領域で行われ、今後の遊技の進行についての事前予告が行われ、さらにその事前予告通りに必ず遊技が進行するので、リーチ外れに終わった場合でも、遊技者の興奮と期待感を喚起し続けることができるとともに、遊技内容が変化に富み、面白みを増すことができる。」と訂正する。
　
３．当審の判断
（１）訂正事項１について
　訂正事項１には、本件特許明細書の特許請求の範囲の請求項１(以下、「訂正前の請求項１」という。また、本件特許明細書の特許請求の範囲の請求項２も同様に「訂正前の請求項２」という。)を削除し、その内容を訂正前の請求項１を引用していた訂正前の請求項２に組み合わせることで、訂正前の請求項２を新たな請求項１とした部分(以下、「前者」という。)と、訂正前の請求項１の内容を訂正前の請求項２に、単純に組み合わせただけとは認められない部分(以下、「後者」という。)が存在するため、両者を分けて検討する。
　まず、後者から検討する。
　訂正事項１における「前記乱数抽選手段で抽出した数値が前記第４リーチ外れパターンの場合、前記予告通知した回数分の第２表示遊技についてその実行モードを時短モードに変更する」のうち、特に「予告通知した回数分の第２表示遊技」なる構成は、訂正前の請求項１及び２には存在しない構成である。
　しかしながら、第４リーチ外れパターンが実行される場合、第１リーチ外れパターンの場合と同一の外れの状態を表示した後、第２表示遊技の変動表示期間の長さが通常値に設定された通常モードより短く設定された時短モードに所定回数にわたって入る旨の予告通知を演出表示することは、本件特許明細書の特許請求の範囲の請求項２の記載からも、本願の願書に添付された明細書(以下、「当初明細書」という。)の段落００３１、００５７、００９７〜０１０５の記載からも自明である。
　とすれば、訂正事項１の後者の部分は、第４リーチ外れパターンによって外れの状態を表示した後に予告通知する内容として、訂正前の請求項２において単に「表示遊技」と限定していた構成を、普通図柄表示装置４０で行われる第２遊技表示であることを明らかにするための訂正であって、明りようでない記載の釈明を目的とするものであると認めることができる。
　したがって、訂正事項１の後者の部分は、特許法１２６条１項ただし書３号に掲げる事項を目的としたものと認める。
　そして、訂正事項１の後者の部分は、実際上の意味内容を変更するものではないとともに、本件特許明細書の記載にも合致しており、当初明細書又は図面に記載した事項の範囲内においてされたものである。また、実質的に特許請求の範囲を拡張又は変更するものでもない。
　すなわち、訂正事項１の後者の部分は、特許法１２６条３項及び４項の規定に適合する。
　
　次に、前者について検討する。
　前者は、訂正前の請求項２に記載された構成を技術的なまとまりに従って分割し、訂正前の請求項１の記載に合わせるために順序を適宜入れ換えて、訂正前の請求項１に記載された構成に組み合わせて新たな請求項１としたものであって、上記後者で検討した事項を除いて、訂正前の請求項２に記載された構成と、訂正前の請求項１に記載された構成とは過不足なく組み合わされている。
　つまり、訂正事項１の前者の部分は、本件特許明細書の特許請求の範囲から請求項１を単に削除したものといえるから、特許請求の範囲の減縮を目的としたものと認めることができる。
　したがって、訂正事項１の前者の部分は、特許法１２６条１項ただし書１号に掲げる事項を目的としたものと認める。
　そして、請求項の削除に伴う特許請求の範囲の減縮であるから、当初明細書又は図面に記載された事項の範囲内のものであること、特許請求の範囲を実質上拡張し又は変更するものではないことは明らかであって、訂正事項１の前者の部分は、特許法１２６条第３項及び第４項の規定に適合している。
　また、前者の部分によって訂正された訂正後の特許請求の範囲に記載された事項により特定される発明は、拒絶すべき理由を有しない特許発明を、限定して減縮するものであるから、特許出願の際独立して特許を受けることができない発明でないことは明らかであり、特許法１２６条第５項の規定にも適合する。
　
（２）訂正事項２〜５について
　訂正事項２〜５は、いずれも訂正事項１における本件特許明細書の請求項１を削除したことに伴い、訂正した特許請求の範囲の記載と、発明の詳細な説明の記載の整合を取るものであって、明りようでない記載の釈明を目的とするものであると認めることができる。
　したがって、訂正事項２〜５は、いずれも特許法１２６条１項ただし書３号に掲げる事項を目的としたものと認める。
　そして、訂正事項２〜５は、実際上の意味内容を変更するものではないとともに、本件特許明細書の記載にも合致しており、当初明細書又は図面に記載した事項の範囲内においてされたものである。また、実質的に特許請求の範囲を拡張又は変更するものでもない。
　すなわち、訂正事項２〜５は、特許法１２６条３項及び４項の規定にも適合する。
　
４．むすび
　以上のとおりであるから、本件訂正審判の請求は、特許法第１２６条第１項ただし書第１号及び第３号に掲げる事項を目的とするものである。また、同条第３項、第４項及び第５項の規定にも適合する。
　
　よって、結論のとおり審決する。